(57)【要約】【課題】意匠性を向上させることができるスクリーン装置の取付構造を提供すること。【解決手段】スクリーン装置８の取付構造８０は、スクリーン８１と、スクリーン８１を収納可能な収納部８２と、を有するスクリーン装置８の取付構造８０であって、収納部８２の背面８ａに配置される取付部材８５と、取付部材８５を覆うように配置されるカバー部材８６と、を備える。カバー部材８６は、横部８６２と縦部８６１とを有する断面Ｌ字状に形成され、横部８６２は、下方を向く取付面４ｂに固定され、縦部８６１には、取付部材８５を介してスクリーン装置８が固定されることが好ましい。【選択図】図４
2020084740.tif 000002
【特許請求の範囲】
【請求項１】
スクリーンと、前記スクリーンを収納可能な収納部と、を有するスクリーン装置の取付構造であって、
前記収納部の背面に配置される取付部材と、
前記取付部材を覆うように配置されるカバー部材と、を備える、
スクリーン装置の取付構造。
【請求項２】
前記カバー部材は、横部と縦部とを有する断面Ｌ字状に形成され、
前記横部は、下方を向く取付面に固定され、
前記縦部には、前記取付部材を介して前記スクリーン装置が固定される請求項１に記載のスクリーン装置の取付構造。
【請求項３】
前記縦部は、中空部を有する筒状のホロー構造で構成される請求項２に記載のスクリーン装置の取付構造。
【請求項４】
前記カバー部材の長手方向の端部に配置される端部キャップを備え、
前記端部キャップは、前記カバー部材の内部側においてネジ部材により固定される請求項１〜３のいずれかに記載のスクリーン装置の取付構造。
【請求項５】
前記スクリーン装置は、アルミ材料により形成される形材の下面に取り付け可能である請求項１〜４のいずれかに記載のスクリーン装置の取付構造。
【請求項６】
屋根体と、
前記屋根体に設けられた請求項１〜５に記載のスクリーン装置の取付構造と、を備える屋根構造体。
【発明の詳細な説明】
【技術分野】
【０００１】
本発明は、日除けや目隠しをするためのスクリーン装置の取付構造に関する。
【背景技術】
【０００２】
従来、スクリーンと、スクリーンを収納可能な収納部と、を有するスクリーン装置が知られている（例えば、特許文献１）。特許文献１のスクリーン装置においては、背面が、上下方向に延びる取付面に取り付けられている。
【先行技術文献】
【特許文献】
【０００３】
【特許文献１】特開２０１７−１９７９５４号公報
【発明の概要】
【発明が解決しようとする課題】
【０００４】
ここで、スクリーン装置を、例えば屋根の前桁の下面や天井躯体の下面などの下方を向く取付面に取り付ける場合に、背面側の凹凸が視認されたり、背面に取り付けたカバーを固定するためのネジが視認されたりする。
そのため、意匠性を向上させることが望まれている。
【０００５】
本発明は、意匠性を向上させることができるスクリーン装置の取付構造を提供することを目的とする。
【課題を解決するための手段】
【０００６】
本発明は、スクリーン（例えば、後述のスクリーン８１）と、前記スクリーンを収納可能な収納部（例えば、後述の収納部８２）と、を有するスクリーン装置（例えば、後述のスクリーン装置８）の取付構造（例えば、後述の取付構造８０）であって、前記収納部の背面（例えば、後述の背面８ａ）に配置される取付部材（例えば、後述の取付金具８５）と、前記取付部材を覆うように配置されるカバー部材（例えば、後述のカバー部材８６）と、を備えるスクリーン装置の取付構造に関する。
【０００７】
また、前記カバー部材は、横部（例えば、後述の取付板８６２）と縦部（例えば、後述のホロー部８６１）とを有する断面Ｌ字状に形成され、前記横部は、下方を向く取付面（例えば、後述の下面４ｂ）に固定され、前記縦部には、前記取付部材を介して前記スクリーン装置が固定されることが好ましい。
【０００８】
また、前記縦部は、中空部を有する筒状のホロー構造で構成されることが好ましい。
【０００９】
また、前記カバー部材の長手方向の端部に配置される端部キャップ（例えば、後述の端部キャップ８７）を備え、前記端部キャップは、前記カバー部材の内部側においてネジ部材（例えば、後述のネジ部材８０４）により固定されることが好ましい。
【００１０】
また、前記スクリーン装置は、アルミ材料により形成される形材の下面（例えば、後述の下面４ｂ）に取り付け可能であることが好ましい。
【００１１】
また、本発明は、屋根体（例えば、後述の屋根体４）と、前記屋根体に設けられた前記スクリーン装置の取付構造と、を備える屋根構造体（例えば、後述のテラス１）に関する。
【発明の効果】
【００１２】
本発明によれば、意匠性を向上させることができるスクリーン装置の取付構造を提供することができる。
【図面の簡単な説明】
【００１３】
【図１】本発明の一実施形態に係るテラスを斜め上方側から見た斜視図である。
【図２】本発明の一実施形態に係るテラスを斜め下方側から見た斜視図である。
【図３】図１におけるＡ−Ａ線断面図である。
【図４】スクリーン装置の取付構造の縦断面図である。
【図５】スクリーン装置の取付構造を支柱側の下方側から見た図である。
【図６】カバー部材に固定された取付金具に、スクリーン装置を取り付ける状態を示す斜視図である。
【図７】スクリーン装置を背面側から視た斜視図である。
【図８】端部キャップをカバー部材に取り付ける状態を示す斜視図である。
【図９】取付金具及び端部キャップをカバー部材に取り付けると共に、カバー部材を屋根体の下面に取り付ける状態を示す図である。
【発明を実施するための形態】
【００１４】
以下、本発明のスクリーン装置の取付構造を備えた屋根構造体の一実施形態について、図面を参照しながら説明する。図１は、本発明の一実施形態に係るテラス１を斜め上方側から見た斜視図である。図２は、本発明の一実施形態に係るテラス１を斜め下方側から見た斜視図である。図３は、図１におけるＡ−Ａ線断面図である。本実施形態においては、屋根構造体をテラス１に適用した例について説明する。なお、本実施形態においては、屋根構造体をテラス１に適用した例について説明するが、これに限定されない。例えば、屋根構造体を、テラス以外の構造物、例えば、カーポート、駐輪場、シェルター、休憩所、バス停などの構造物に適用してもよい。
【００１５】
なお、本実施形態の説明においては、テラス１の屋根体４を構成する複数の長尺形材（長尺材）４１が延びる方向を左右方向（長尺形材４１の長手方向）ともいう。また、梁３が延びる方向を前後方向ともいい、梁３が延びる方向において、支柱２側を、テラス１の基端側ともいい、支柱２と反対側を、テラス１の先端側ともいう。
【００１６】
まず、本実施形態のテラス１の全体構造について説明する。テラス１は、図１及び図２に示すように、屋根体４を前後方向の基端側（図１における左手前側）において一対の支柱２で支持する、いわゆる、片持ち構造のテラスである。また、本実施形態のテラス１は、支柱２に接続された梁３の下部（下方）に、屋根体４が吊られて接続される吊構造で構成される。
また、テラス１は、屋根体４の先端が、建物壁面や建物開口を有する躯体１０から離間して、躯体１０に対向して配置される独立型のテラスである。
【００１７】
本実施形態のテラス１は、地面１１に立設される一対の支柱２（柱材）と、支柱２の上端部から支柱に交差する方向に延びる梁３と、梁３の下部に接続される屋根体４と、スクリーン装置８と、を備える。支柱２、梁３、及び屋根体４を構成する複数の長尺形材４１は、アルミ材料の押出し形材で形成され、断面が中空状の中空部を有するホロー構造を有する。
【００１８】
一対の支柱２は、図１及び図２に示すように、テラス１の基端側（図１における左手前側）において、テラス１の左右方向に離間して配置される。
支柱２は、図１〜図３に示すように、横断面が角筒状に形成される中空状の支柱本体部２１と、支柱本体部２１の屋根体４側の側面から屋根体４側に突出すると共に上下方向に延びる一対のカバー取付壁２２と、を有する。一対のカバー取付壁２２には、支柱カバー部材２３が取り付けられる。支柱２の上端部には、支柱２の上端部の開口を覆うように、支柱キャップ２４が配置される。
【００１９】
支柱本体部２１と支柱カバー部材２３との間には、図３に示すように、屋根体４の屋根体側樋構成部４０（後述）から排出された水が流される。支柱本体部２１と支柱カバー部材２３との間には屋根体側樋構成部４０（後述）から排出された水が流入して水が流れるため、支柱本体部２１及び支柱カバー部材２３は、支柱側樋構成部２０（柱材側樋構造）として構成される。本実施形態においては、支柱本体部２１と支柱カバー部材２３との間に雨樋用のホースなどが配置されずに、支柱本体部２１及び支柱カバー部材２３だけで、縦樋を構成する。支柱側樋構成部２０は、支柱本体部２１の屋根体４側の側面が支柱カバー部材２３に覆われるため、テラス１の外部からは視認されない。そのため、支柱２が樋の機能を備えることが外部からは視認されず、意匠性を向上できる。
【００２０】
図１〜図３に示すように、一対の支柱２における左右方向の一方側（図１における右手前側）の支柱２には、地面１１付近の下端部に、排水誘導部材６が取り付けられる。排水誘導部材６は、支柱本体部２１と支柱カバー部材２３とにより構成される支柱側樋構成部２０（後述）を流れる水を前後方向の一方側（建物と反対側）の外部へ誘導して排出する。
【００２１】
一対の梁３は、テラス１の左右方向に離間して配置される。一対の梁３は、それぞれ、前後方向に延びると共に、支柱２側に下る下り傾斜で形成される。梁３は、支柱２側に基端側が配置されると共に、基端側から先端側に延びる。一対の梁３の基端側の端部（左側の端部）は、図３に示すように、Ｌ字状の連結部材２５を介して、支柱２の上端部に接続される。一対の梁３の下部には、屋根体４が接続される。
【００２２】
一対の梁３は、図１及び図３に示すように、それぞれ、断面が角筒状に形成される梁側ホロー部３１と、延出板部３２（下部延出板）と、端部キャップ３３と、を有する。
【００２３】
梁側ホロー部３１の先端３１ａは、先端側の上端部が傾斜して切り欠かれるように、先端側から基端側（支柱２側）に向かうにしたがって上る上り傾斜で形成される。
【００２４】
延出板部３２は、梁側ホロー部３１の下端部から、屋根体４における左右方向の中央側（一対の梁３のうち、当該梁３とは別の梁３側）に向けて延出すると共に、前後方向に延びる板状に形成される。延出板部３２は、前後方向に並んで複数配置されるネジ部材１０１により、延出板部３２において、屋根体４に固定される。
【００２５】
屋根体４は、梁３の下方に配置される。屋根体４は、図３に示すように、屋根体４が一対の梁３の下部に吊られて配置される吊り下げ構造であって、一対の梁３の下部に取り付けられる（接続される）。屋根体４は、複数の長尺形材（長尺材）４１が、梁３が延びる方向に並んで連設されて互いが嵌合して連結されて構成される。
【００２６】
複数の長尺形材４１は、それぞれ、テラス１の左右方向（梁３が延びる方向に直交する方向）に延びており、所定の厚さを有する。複数の長尺形材４１は、それぞれ、アルミ材料の押出し形材で形成され、断面が中空状に形成される中空部を有するホロー構造を有する。屋根体４は、上面４ａ及び下面４ｂがフラット（平面状）に形成される。屋根体４は、支柱２側が下る下り傾斜に配置されており、上面４ａ及び下面４ｂは、支柱２側が下る下り傾斜に形成される。アルミ材料の押出し形材で形成された複数の長尺形材４１を連結して屋根体４を構成することで、複数の長尺形材４１を、屋根体４の面材として使用できると共に、屋根体４の強度を確保することができる。また、屋根体４を構成する複数の長尺形材４１を、中空部を有する形材で構成することで、屋根体４自体を強度部材として使用でき、屋根体４の強度を出すための部材を別に設ける必要がない。よって、屋根体４を構成する部材の部品点数を低減できる。
【００２７】
屋根体４を構成する複数の長尺形材４１は、図３に示すように、最も先端側に配置される先端側形材４２と、支柱２側の最も基端側に配置される樋構成形材４４と、先端側形材４２と樋構成形材４４との間に配置される複数の中間形材４３と、を備えて構成される。複数の長尺形材４１は、それぞれ、ネジ部材１０１により、梁３に直接固定されて接続される。
屋根体４の下面４ｂには、スクリーン装置８の取付構造８０により、スクリーン装置８が取り付けられている。スクリーン装置８の取付構造８０の詳細については後述する。
【００２８】
樋構成形材４４は、屋根体４において、複数の長尺形材４１が並ぶ方向の基端側（支柱２側）の端部に並列に配置され、上部側が上方側に向けて開口する長尺形材により形成される。本実施形態においては、樋構成形材４４は、中空部を有さないソリッド材により形成され、上部側が開口する断面Ｕ字形状に形成される。
【００２９】
樋構成形材４４は、屋根体４の支柱２側の最も基端側の端部において、屋根体４の上面４ａを基端側に流れて基端側の端部に達した水を受け止めて流通させる屋根体側樋構成部４０を構成する。屋根体側樋構成部４０の側面に形成された導出開口には、Ｌ字状の誘導部材４７が接続される。
【００３０】
誘導部材４７は、屋根体側樋構成部４０に流れ込んで滞留した水を、支柱側樋構成部２０に誘導する。誘導部材４７は、支柱側樋構成部２０側に下る斜め下方に傾斜した筒状に形成される。
誘導部材４７により支柱側樋構成部２０に誘導された水は、支柱本体部２１と支柱カバー部材２３とにより構成される支柱側樋構成部２０の内部を上方側から下方側に流れ、支柱２の下部に取り付けられた排水誘導部材６により、外部に排出される。
【００３１】
次に、本発明に係るスクリーン装置８の取付構造８０の詳細について説明する。
図４は、スクリーン装置８の取付構造８０の縦断面図である。図５は、スクリーン装置８の取付構造８０を支柱２側の下方側から見た図である。図６は、カバー部材８６に固定された取付金具８５に、スクリーン装置８を取り付ける状態を示す斜視図である。図７は、スクリーン装置８を背面８ａ側から視た斜視図である。図８は、端部キャップ８７をカバー部材８６に取り付ける状態を示す斜視図である。図９は、取付金具８５及び端部キャップ８７をカバー部材８６に取り付けると共に、カバー部材８６を屋根体４の下面４ｂに取り付ける状態を示す図である。
【００３２】
本実施形態においては、図１〜図３に示すように、２台のスクリーン装置８が左右方向に直線上に並んだ状態で、スクリーン装置８の取付構造８０により、屋根体４の下面４ｂに取り付けられている。なお、スクリーン装置８の台数は限定されず、１台でもよいし、３台以上でもよい。
【００３３】
２台のスクリーン装置８は、図４に示すように、それぞれ、スクリーン８１と、スクリーン８１を収納可能な収納部８２と、を備える。
収納部８２は、テラス１の左右方向に延びて形成される。スクリーン８１は、収納部８２に収納される。スクリーン８１は、巻き取るタイプでもよいし、折り畳むタイプでもよい。スクリーン８１は、収納部８２から引き出されることで、日除け、目隠しとして機能する。
【００３４】
また、スクリーン装置８は、図１〜図６に示すように、取付構造８０により、屋根体４の下面４ｂに取り付けられている。本実施形態においては、スクリーン装置８は、屋根体４の下面４ｂにおいて、前後方向の支柱２側寄りに配置される。スクリーン装置８は、長尺形材４１の長手方向に沿って延びる。本実施形態においては、スクリーン装置８の背面８ａ側は、躯体１０側を向いて配置され、スクリーン装置８の前面８ｂ側は、躯体１０と反対側を向いて配置されている。
【００３５】
スクリーン装置８は、図４及び図７に示すように、背面８ａにおいて、上端部に形成される引っ掛け部８２１と、下端部に形成されるネジ固定溝８２２と、を有する。
引っ掛け部８２１は、図４に示すように、スクリーン装置８の背面８ａの上端部において、下方に開放する逆Ｌ字状に形成される。
ネジ固定溝８２２は、スクリーン装置８の背面８ａの下端部において、下方に開放する溝状に形成される。
背面８ａの上端部に形成される引っ掛け部８２１に取付金具８５の上部取付片８５１（後述）が引っ掛けられ、背面８ａの下端部に形成されるネジ固定溝８２２において取付金具８５の下部取付片８５３（後述）が固定されることで、スクリーン装置８は、後述する取付金具８５に支持された状態で固定される。
【００３６】
スクリーン装置８の取付構造８０は、図５に示すように、収納部８２の背面８ａに配置される複数の取付金具８５（取付部材）と、複数の取付金具８５（取付部材）を覆うように配置されるカバー部材８６と、カバー部材８６の両端部に配置される端部キャップ８７と、を備える。
【００３７】
カバー部材８６は、図６に示すように、２台のスクリーン装置８の背面８ａの長手方向の全域に亘って延びて形成される。カバー部材８６は、複数台のスクリーン装置８の背面８ａを覆う場合には、スクリーン装置８の台数に応じた長さで形成される。これにより、複数台のスクリーン装置８を並べて配置した場合でも、カバー部材８６につなぎ目がないため、意匠性が良好である。
【００３８】
カバー部材８６は、図４に示すように、断面Ｌ字状に形成される。カバー部材８６は、縦方向（上下方向）に延びる中空部を有するホロー部８６１（縦部）と、ホロー部８６１の上端から支柱２側に屈曲して横方向（前後方向）に延びる取付板８６２（横部）と、を有する。
【００３９】
取付板８６２は、図４〜図６に示すように、長尺形材４１の下面に沿って長尺形材４１の長手方向に延びる長尺の板状に形成され、ネジ部材８０１により、屋根体４の下面４ｂ（下方を向く取付面）である長尺形材４１の下面に固定される。
【００４０】
ホロー部８６１は、中空部を有する筒状のホロー構造で構成される。ホロー部８６１は、取付板８６２の躯体１０側の端部から下方に延びる。ホロー部８６１は、スクリーン装置８の背面８ａ及び背面８ａに取り付けられた取付金具８５を覆うように、スクリーン装置８の背面８ａの躯体１０側に配置される。ホロー部８６１は、取付板８６２の長手方向の長さと同じ長さで、長手方向に延びる。ホロー部８６１の躯体１０側の外面８６１ａは、上下方向及び長手方向に延びる平面状に形成され、段差や凹凸などは形成されていない。
【００４１】
ホロー部８６１における躯体１０と反対側の面８６１ｂには、ネジ部材８０２により、複数の取付金具８５が固定されている。ホロー部８６１には、取付金具８５を介して、スクリーン装置８が固定される。
【００４２】
複数の取付金具８５は、スクリーン装置８の背面８ａである収納部８２の背面において、収納部８２の長手方向に並んで配置される。複数の取付金具８５は、カバー部材８６のホロー部８６１における躯体１０と反対側の面８６１ｂに固定された状態で、スクリーン装置８を背面８ａ側から支持する。
【００４３】
複数の取付金具８５は、それぞれ、図４及び図６に示すように、上部取付片８５１と、上部取付片８５１から下方に延びる上下方向延在片８５２と、上下方向延在片８５２の下端部に接続される下部取付片８５３と、を有する。
【００４４】
上部取付片８５１は、図６に示すようにＬ字状に屈曲して形成され、縦片８５１ａと、縦片８５１ａの下端部からカバー部材８６側に延びる横片８５１ｂと、を有する。横片８５１ｂのカバー部材８６側の端部は、上下方向延在片８５２の上端部に接続される。上部取付片８５１には、図６に示すように、スクリーン装置８を取付金具８５に取り付ける場合に、スクリーン装置８の収納部８２の背面８ａの上端部に形成された引っ掛け部８２１（図７参照）が引っ掛けられる。
【００４５】
上下方向延在片８５２は、上部取付片８５１の横片８５１ｂのカバー部材８６側の端部から下方に延びる直線板状に形成される。上下方向延在片８５２は、図６に示すように、ネジ部材８０２によりカバー部材８６のホロー部８６１に固定される。
【００４６】
下部取付片８５３は、段差状に形成され、上段横片８５３ａと、段差縦片８５３ｂと、下段横片８５３ｃと、を有する。
上段横片８５３ａは、上下方向延在片８５２の下端部からカバー部材８６と反対側に延びる。
段差縦片８５３ｂは、上段横片８５３ａのカバー部材８６と反対側の端部から下方側に延びる。
下段横片８５３ｃは、段差縦片８５３ｂの下端部からカバー部材８６と反対側に延びる。下段横片８５３ｃは、図４〜図６に示すように、ネジ部材８０３により、スクリーン装置８の収納部８２の背面８ａの下端部に形成されたネジ固定溝８２２（図７参照）に固定される。
【００４７】
以上のように構成されることで、スクリーン装置８の収納部８２の背面８ａ側において、背面８ａと背面８ａに配置される取付金具８５とを、カバー部材８６により覆うことができ、かつ、カバー部材８６の躯体１０側の外面８６１ａには、取付金具８５やネジ部材８０１、８０２、８０３などの部材が露出されていないため、意匠性を向上できる。
【００４８】
一対の端部キャップ８７は、図５に示すように、カバー部材８６の長手方向の両端部に配置される。一対の端部キャップ８７は、図８に示すように、それぞれ、側板８７１と、一対のＬ字金具８７２と、を有する。
【００４９】
側板８７１は、上下方向及び前後方向に広がる板状に形成され、側面視において、正方形の一つの角を傾斜直線で切り欠いた形状に形成される。
一対のＬ字金具８７２は、Ｌ字状に屈曲して形成され、側板８７１の内側に固定される一片８７２ａと、一片８７２ａの端部から内部側に突出する他片８７２ｂと、を有する。一対のＬ字金具８７２は、側板８７１の内側に一片８７２ａが固定され、他片８７２ｂがカバー部材８６の内部側において、ネジ部材８０４によりカバー部材８６のホロー部の端部に固定される。ネジ部材８０４は、カバー部材８６の内部側に配置されており、外部に露出されていないため、外部から視認されにくい。そのため、意匠性を向上できる。
【００５０】
次に、スクリーン装置８の取付構造８０を利用して、スクリーン装置８を屋根体４の下面４ｂに取り付ける手順について説明する。
図９に示すように、取付金具８５及び端部キャップ８７を取り付けたカバー部材８６を、屋根体４の下面４ｂに取り付ける。
具体的には、ネジ部材８０２により、取付金具８５をカバー部材８６のホロー部８６１に固定する。また、ネジ部材８０４により、端部キャップ８７をカバー部材８６の端部に固定する。また、ネジ部材８０１により、カバー部材８６を屋根体４の下面４ｂに固定する。
【００５１】
続けて、図６に示すように、スクリーン装置８の背面８ａに形成される引っ掛け部８２１を、取付金具８５の上部取付片８５１に引っ掛けて、取付金具８５の下部取付片８５３を、スクリーン装置８の背面８ａに形成されるネジ固定溝８２２にネジ部材８０３により固定することで、２台のスクリーン装置８を、取付金具８５に取り付ける。
【００５２】
以上のように構成されるスクリーン装置８の取付構造８０においては、カバー部材８６によりスクリーン装置８の背面８ａ側を覆うことで、スクリーン装置８の背面８ａや取付金具８５を、スクリーン装置８の背面８ａ側から視認されない構造とすると共に、取付金具８５をカバー部材８６のホロー部８６１に固定するネジ部材８０２、カバー部材８６を屋根体４の下面４ｂに固定するネジ部材８０１、端部キャップ８７をカバー部材８６の端部に固定するネジ部材８０４、スクリーン装置８の背面８ａに形成されるネジ固定溝８２２においてネジ部材８０３、及び、スクリーン装置８の背面８ａに形成されるネジ固定溝８２２に取付金具８５を固定するネジ部材８０３を、カバー部材８６により覆うことで、カバー部材８６の躯体１０側の外面８６１ａ側に凹凸やネジ部材などが露出されていないため、意匠性を向上できる。
【００５３】
以上説明した本実施形態のスクリーン装置８の取付構造８０によれば、以下のような効果を奏する。
本実施形態のスクリーン装置８の取付構造８０は、スクリーン８１と、スクリーン８１を収納可能な収納部８２と、を有するスクリーン装置８の取付構造８０であって、収納部８２の背面８ａに配置される取付金具８５と、取付金具８５を覆うように配置されるカバー部材８６と、を備える。これにより、スクリーン装置８の背面８ａ側において、背面８ａと背面８ａに配置される取付金具８５とを、カバー部材８６により覆うことができるため、意匠性を向上できる。
【００５４】
また、本実施形態においては、カバー部材８６は、取付板８６２とホロー部８６１とを有する断面Ｌ字状に形成され、取付板８６２は、屋根体４の下面４ｂ（下方を向く取付面）に固定され、ホロー部８６１には、取付金具８５を介してスクリーン装置８が固定される。これにより、カバー部材８６のホロー部８６１により、スクリーン装置８の背面８ａ側を覆った状態で、取付板８６２により、屋根体４の下面４ｂに固定することができる。よって、簡易な構成で、スクリーン装置８の背面８ａ側から視認されない構成を実現できる。
【００５５】
また、本実施形態においては、ホロー部８６１は、中空部を有する筒状のホロー構造で構成される。そのため、ホロー部８６１は強度を有する強度部材として構成され、取付金具８５を介して、スクリーン装置８を強固に安定して固定できる。
【００５６】
また、本実施形態においては、カバー部材８６の長手方向の端部に配置される端部キャップ８７を備え、端部キャップ８７は、カバー部材８６の内部側においてネジ部材８０４により固定される。そのため、端部キャップ８７を固定するためのネジ部材８０４は外部から視認されないため、意匠性を一層向上できる。
【００５７】
また、本実施形態においては、スクリーン装置８は、アルミ材料により形成される形材の下面に取り付け可能である。これにより、本実施形態のように、屋根体４がアルミ材料からなる複数の長尺形材４１が連設されることで構成されている場合には、長尺形材４１の下面にスクリーン装置８を容易に取り付けることができる。なお、本実施形態においては、スクリーン装置８を、屋根体４の下面４ｂにおいて、前後方向の支柱２側寄りに取り付けたが、スクリーン装置８の取付位置は限定されない。例えば、本実施形態の屋根体４は、アルミ材料からなる複数の長尺形材を備えて構成されており、屋根体の下面のあらゆる位置に取り付け可能であるため、取付位置の自由度は高い。
【００５８】
以上、本発明のスクリーン装置８の取付構造８０の好ましい一実施形態について説明したが、本発明は、上述した実施形態に制限されるものではなく、適宜変更が可能である。
例えば、前記実施形態では、スクリーン装置８を屋根体４の下面４ｂに取り付ける場合について説明したが、これに限定されない。スクリーン装置を、例えば、屋根体を支持する前桁や後桁の下面に取り付けてもよいし、ベランダの天井（構造物の下面）に取り付けてもよい。また、スクリーン装置を、吊構造以外の屋根構造体の屋根体の下面や、庇などの屋根体の下面に取り付けてもよい。
【符号の説明】
【００５９】
１  テラス（屋根構造体）
４  屋根体
４ｂ  下面（取付面）
８  スクリーン装置
８ａ  収納部の背面
８０  スクリーン装置の取付構造
８１  スクリーン
８２  収納部
８５  取付金具（取付部材）
８６  カバー部材
８７  端部キャップ
８０４  ネジ部材
８６１  ホロー部（縦部）
８６２  取付板（横部）
【図１】
2020084740.tif 000003
【図２】
2020084740.tif 000004
【図３】
2020084740.tif 000005
【図４】
2020084740.tif 000006
【図５】
2020084740.tif 000007
【図６】
2020084740.tif 000008
【図７】
2020084740.tif 000009
【図８】
2020084740.tif 000010
【図９】
2020084740.tif 000011